(57)【要約】【課題】各種多様な装飾体を備えた芯材を事前に製造し、注文に応じ芯材を選び、樹脂の内部に芯材が透視できる形に成形した引手を提供する。【解決手段】スライドファスナー用スライダーの引手は、スライダー胴体へ連結するための胴体連結体と、装飾するための装飾体とを連結部を介して一体に連結した芯材を形成し、連結部は共通する形状であり、装飾体は一定の大きさ内で連結部に連結し，　連結部の一部および装飾体の周囲に、これらが透視できる樹脂を射出成形して引手を作製する。なお芯材は事前に製造して保管し、顧客の注文に応じて芯材を選択し要望を叶えさせる。【選択図】図１
2004073553.tif 000002
【特許請求の範囲】
【請求項１】
引手２は胴体連結体７と多種多様な装飾体８の１つとを連結部１０を介して一体に連結して芯材９を形成し、連結部１０は一定の形状から形成し、連結部１０に一定内の大きさの装飾体８を連結し、連結部１０の一部および装飾体８の周囲に該部分が透視可能な樹脂を被覆成形してなることを特徴とするスライドファスナー用スライダーの引手。
【請求項２】
胴体連結体７の連結部１０は断面形状を共通とし、装飾体８は多種多様な形態とする芯材９を金属のダイカスト成形によって形成してなる請求項１記載のスライドファスナー用スライダーの引手。
【請求項３】
胴体連結体７は平板状の連結部１０からＵ字状のアーム１１を突設して形成してなる請求項１記載のスライドファスナー用スライダーの引手。
【請求項４】
胴体連結体７は平板状の連結部１０から左右一対のアーム１１を突設し、該アーム１１の先端に軸部１２を架設してなる請求項１記載のスライドファスナー用スライダーの引手。
【請求項５】
胴体連結体７に対して一定内の大きさの多種多様な装飾体８を一定形状の連結部１０を介して連結した芯材９を形成し、多種多様な芯材９を受注により選択し、芯材９を金型２０に設けた一定形状のキャビティ２６に収容した後、芯材９の連結部１０の一部および装飾体８の周囲を被覆する形で、該部分が透視可能な樹脂を射出成形してなることを特徴とするスライドファスナー用スライダーの引手の製造方法。
【請求項６】
金型２０に数個のキャビティ２６を備え、該キャビティ２６に同種の模様を有する装飾体８からなる芯材９を収容した後、樹脂を射出成形してなる請求項５記載のスライドファスナー用スライダーの引手の製造方法。
【請求項７】
金型２０に数個のキャビティ２６を備え、該キャビティ２６に異種の模様を有する装飾体８からなる芯材９を収容した後、樹脂を射出成形してなる請求項５記載のスライドファスナー用スライダーの引手の製造方法。
【発明の詳細な説明】
【０００１】
【発明の属する技術分野】
この発明は、金属製の胴体連結体と装飾体とから形成された引手の芯材を、その周囲に透明な熱可塑性樹脂を射出成形して形成したスライドファスナー用スライダーの引手に関するものである。
【０００２】
【従来の技術】
従来、スライドファスナーの引手において、図１３に示すように、透明な引手本体に中空部を形成し、この中空部内へロゴマークや名札を表示した認識標を挿入して開放口を止栓で封止するスライダーの引手が実開昭６２−８５１１４号公報に開示されている。
【０００３】
また、図１４に示すように金属または硬質プラスチックから形成された引手本体の端部に形成する摘みを、引手本体に設けた透孔部分に軟質プラスチックを射出成形して摘みを形成したスライダーの引手が実公平６−３７７１８号公報に開示されている。
【０００４】
【発明が解決しようとする課題】
この発明のスライドファスナー用スライダーの引手の主目的は、引手の内部に装飾体を内在させ、その周囲に装飾体が透視できる熱可塑性樹脂を射出成形して被覆し、装飾体が引手の表面から透けて見える、美的感覚の優れた引手に仕上げるところにある。これに対し図１３に示した引手は、透明な引手本体の内部にロゴマークなどの認識標を挿入し、止栓によって封止するものであり、装飾を主眼とする引手ではなく、また引手の作製に手数がかかり一挙に作製することができないなど問題点がある。
【０００５】
また図１４に示した引手は、引手本体の先端に透孔を設けて摘み取付部を形成し、この摘み取付部には透孔を埋めつくすとともに、摘み取付部の外郭を含む全面を被覆する柔軟性と弾力性に富んだ軟質プラスチックを射出成形して摘みを形成したものであり、装飾を主眼とする引手ではなく活用することができないなど問題点がある。
【０００６】
この発明の請求項１記載の発明は、スライドファスナー用スライダーの引手において、熱可塑性樹脂製の引手の内部に一定の大きさの装飾体を内在させ、装飾体は各種多様な装飾部を備え、装飾体は胴体連結体と一体の芯材から形成され、この多種多様な芯材を事前に製造し保管しておき、顧客の注文に応じて芯材を選択し、迅速かつ能率よく芯材を利用して装飾体が透視できる樹脂製の引手を作製して顧客に供給する。しかも引手自体は頑丈に仕上げることができ、胴体への連結も強固に行うことができる品質のよいスライドファスナー用スライダーの引手を提供することが主たる目的である。
【０００７】
請求項２記載の発明は、請求項１記載の発明の目的に加え、各種形態の装飾部を有する装飾体であっても、断面形状を共通とする形状の連結部を具備した金属製の芯材に形成することによって、多種多様な装飾部を有する芯材でも同一形態の金型を用いて迅速かつ効率よく引手を射出成形して、顧客の注文に即応できるスライドファスナー用スライダーの引手を提供することが目的である。
【０００８】
請求項３および４記載の発明は、それぞれ請求項１記載の発明の目的に加え、スライダーの胴体へ装飾体を連結するための連結体の形態を特定し、主要なスライダーの胴体へ簡易に連結することができる連結部を備えたスライドファスナー用スライダーの引手を提供することが目的である。
【０００９】
請求項５記載の発明は、多種多様な装飾体と胴体連結体を一体に形成した芯材を事前に製造し保管しておき、受注に応じて少量の種類の装飾体であっても、顧客の要請を叶えるべく、芯材を金型のキャビティに簡単に配置して収容し、迅速に樹脂製の引手の内部に透視できる装飾体を備えた引手を簡易に製造することができるスライドファスナー用スライダーの引手を製造する方法を提供することが主たる目的である。
【００１０】
請求項６および７記載の発明は、それぞれ請求項５記載の発明の目的に加え、金型に設けた数個のキャビティに対し、同種類の装飾体または異種類の装飾体を適宜配置して収容し、需要に即した引手を迅速かつ簡易に多種少量生産に対応できるスライドファスナー用スライダーの引手を製造する方法を提供することが目的である。
【００１１】
【課題を解決するための手段】
前記の目的を達成するため、この発明のうち請求項１記載の発明は、スライドファスナー用スライダーの引手２は、スライダーの胴体１へ連結するための胴体連結体７と引手２を装飾するための多種多様な装飾体８の１つとを連結部１０を介して一体に連結して芯材９を形成し、連結部１０は一定の形状から形成し、この連結部１０に一定内の大きさを有する装飾体８を連結し、連結部１０の一部および装飾体８の周囲に、この連結部１０の一部および装飾体８を透視することができる透明ないし半透明の樹脂を用いて被覆し一体に射出成形して引手２を完成したスライドファスナー用スライダーの引手を主な構成とするものである。
【００１２】
請求項２記載の発明は、請求項１記載の発明の構成に加え、各種形態の芯材９における胴体連結体７の連結部１０は、それぞれ断面形状が共通する形状であり、装飾体８は多種多様な形態から形成された芯材９を、金属たとえば亜鉛合金、アルミニウム合金から一体にダイカスト成形手段によって形成したスライドファスナー用スライダーの引手である。
【００１３】
請求項３記載の発明は、請求項１記載の発明の構成に加え、引手２における胴体連結体７は、平板状の連結部１０からＵ字状のアーム１１を突設して連結体７を形成したスライドファスナー用スライダーの引手である。
【００１４】
請求項４記載の発明は、請求項１記載の発明の構成に加え、引手２における胴体連結体７は、平板状の連結部１０から左右一対のアーム１１を突設し、このアーム１１の先端に軸部１２を架設して連結体７を形成したスライドファスナー用スライダーの引手である。
【００１５】
請求項５記載の発明は、スライドファスナー用スライダーの引手２は、胴体連結体７に対して一定範囲内の大きさを有する多種多様な装飾体８を一定の共通する形状の連結部１０を介して連結した形態の芯材９を金属のダイカスト成形手段によって一体成形し、成形し保管された多種多様な芯材９を受注により選択し、選択された芯材９を金型２０に設けた一定形状の数個のキャビティ２６に配置し収容した後、芯材９における連結部１０の一部および装飾体８の周囲全面を被覆する形で、この連結部１０の一部および装飾体８が透視できる透明ないし半透明の樹脂を用いて射出成形手段によって引手２を成形するスライドファスナー用スライダーの引手を製造する方法を主な構成とするものである。
【００１６】
請求項６記載の発明は、請求項５記載の発明の構成に加え、金型２０に設けた数個のキャビティ２６に同種の模様を備え持つ装飾体８からなる芯材９を配置した後、熱可塑性樹脂を射出成形手段によって成形するスライドファスナー用スライダーの引手を製造する方法である。
【００１７】
請求項７記載の発明は、請求項５記載の発明の構成に加え、金型２０に設けた数個のキャビティ２６に異種の模様を備え持つ装飾体８からなる芯材９を配置した後、熱可塑性樹脂を射出成形手段によって成形するスライドファスナー用スライダーの引手を製造する方法である。
【００１８】
【発明の実施の形態】
以下、この発明のスライドファスナー用スライダーの引手の実施の形態について、図面を参照しながら具体的に説明する。
【００１９】
この発明のスライドファスナー用スライダーの引手は、図１〜４に示すようにスライダー胴体１に設置した、引手２を連結するためのクランパー４に取り付ける引手２に関するものであり、引手２は図３、４に示すように、一端に胴体連結体７を設け、この胴体連結体７は平板状の連結部１０の左右にアーム１１を一対突設し、このアーム１１の先端にクランパー４に取り付ける軸部１２が架設されている。連結体６の連結部１０に支柱部１４を連設し、支柱部１４は種々の模様、たとえば中抜き矢尻模様を呈する装飾部１５を設け、全体として装飾体８を形成し、装飾体８は一定範囲内の大きさとし、胴体連結体７と装飾体８とを一体的に連結して芯材９を形成する。
【００２０】
胴体連結体７と装飾体８とを連結した芯材９を亜鉛合金またはアルミニウム合金などの金属を用いてダイカスト成形して形成する。そして芯材９のうち連結部１０の一部および装飾体８全体の周囲に無色透明ないし半透明または有色透明ないし半透明のポリアミド、ポリアセタール、ポリプロピレン、ポリブチレンテレフタレートなどの連結部１０の一部および装飾体８が透視可能な熱可塑性樹脂を用いて、射出成形手段によって芯材９を被覆し、一体成形して引手２を作製する。作製された引手２は図１、２に示すようにスライダー胴体１の上面に突設した引手取付部３に装着したクランパー４のフック部５に引手２の胴体連結体７に設けた軸部１２を挿入し装着する。この際フック部５の開口部分にはＵ字状のスプリング片６がフック部５の基部に取り付けられ、フック部５に挿入された軸部１２の脱落を阻止する形にスプリング片６の先端で封止する。
【００２１】
引手２の装飾体８における装飾部１５の模様は図５、６に示すように、胴体連結部７は平板状の連結部１０の一端にＵ字状のアーム１１を突設し、連結部１０の他端には支柱部１４を連設し、この支柱部１４に花弁模様をあしらった一定範囲内の大きさを有する装飾部１５を形成した芯材９を金属を用いたダイカスト成形した後に、連結部１０の一部および装飾体８全体の周囲に透視可能な熱可塑性樹脂を射出成形して芯材９を被覆して引手２を作製する。作製された引手２は図５に示すようにスライダー胴体１上面に突設した引手取付部３の後口側の開口部分からＵ字状のアーム１１を挿入し、開口部分を加圧して連結部１０のＵ字状のアーム１１が引手取付部３から脱落するのを阻止する。
【００２２】
引手２の装飾体８における装飾体１５に関する変形例は数多くあるが、その全ての装飾体８および連結部１０の形態で共通することは、装飾体８は一定範囲内の大きさ、すなわち長さ寸法、巾寸法、厚み寸法が予め定められた寸法内から形成し、連結部１０は平板状で断面形状が一定で共通する形状に形成し、連結部１０に装飾体８の支柱部１４を連設し、この支柱部１４に各種の模様を呈する装飾部１５を付設して芯材９をダイカスト成形する。芯材９は一種類の金型２０のキャビティ２６であっても、多数の異形の芯材９を同一的に配して収容でき、同一条件のもとで射出成形でき湯漏れのないバリが発生しない美しい装飾体８が透視できる引手２を作製することができる。
【００２３】
図７に示す引手２は、胴体連結体７の連結部１０は左右に一対のアーム１１を突設し、アーム１１の先端に軸部１２を架設した連結部１０に支柱部１４を連設し、この支柱部１４に三日月と星をあしらった装飾部１５を付設した芯材９をダイカスト成形した後に、連結部１０の一部および装飾体８全体の周囲に透視可能な熱可塑性樹脂を用いて射出成形して被覆し、引手２を作製する。引手２の使用例は図１、２に示すスライダー胴体１と同様のスライダー胴体１が対象として用いられる。
【００２４】
図８に示す引手２は、胴体連結体７の平板状の連結部１０にＵ字状のアーム１１を突設し、連結部１０の他端に設ける支柱部１４の役目を果たす円板および円環を連ねて装飾部１５を連設した芯材９をダイカスト成形した後に、連結部１０の一部および装飾体８全体の周囲に透視可能な熱可塑性樹脂を用いて射出成形して被覆し、引手２を作製する。引手２の使用例は前記図５に示すスライダー胴体１と同様のスライダー胴体１が対象として用いられる。
【００２５】
次に、この発明のスライドファスナー用スライダーの引手の製造方法について説明する。この発明のスライドファスナー用スライダーの引手２は、胴体連結体７と装飾体８とを連結した各種類の芯材９を最初に亜鉛合金、アルミニウム合金などの金属を用いてダイカスト成形し、成形された芯材９の装飾体８は全て一定範囲内の大きさを具有し、かつ連結部１０の形状も一定の厚さ幅を有する平板状に形成し、各種タイプの模様を有する芯材９であっても、共通して使用できる金型２０を用いて射出成形し、製品にバリが発生しない体裁のよい引手２を作製できる。
【００２６】
図９〜１２に示すように、金型２０は上型２１と下型２２に引手２の外形に即した形のキャビティ２６を刻設し、このキャビティ２６に胴体連結体７と装飾体８からなる芯材９を配置し、溶融した熱可塑性樹脂をスプル２３、ランナ２４、ゲート２５を経てキャビティ２６に流入させて成形する。この発明の特徴は、事前に各種類の模様を有する芯材９を亜鉛合金、アルミニウム合金などからダイカスト成形して芯材９を生産し保管する。この保管された芯材９から顧客の要望に基づいて芯材９を選択し、１個の金型２０に設けたキャビティ２６に芯材９を配置して収容し樹脂を射出成形することにより、各種の引手２の少量生産が可能となる。
【００２７】
引手２の多種少量生産を行うためには、各種の装飾部１５を有する装飾体８の大きさを一定の範囲内の形状に形成すること、また装飾体８を連結する胴体連結体７の連結部１０の大きさ形状を各種の芯材９において共通する同一形態に形成することである。この態様であると１個の金型に刻設されたキャビティ２６に同種の芯材９を配置して収容し、樹脂を射出成形することができ、また金型２０を変更することなく異種の芯材９をキャビティ２６に配置して収容し、射出成形することができる。さらに金型２０に刻設された数個のキャビティ２６に、それぞれ異なるすなわち異種の芯材９を配置して収容し射出成形し、異なる装飾部１５を具有する引手２を一挙に作製することもできる。なお、図１１、１２に示された２７は、キャビティ２６に配置された芯材９を正常な位置に保持するためのジグを挿入し固定するための溝部である。
【００２８】
【発明の効果】
この発明のスライドファスナー用スライダーの引手およびその製造方法は、以上説明したとおりの構成であり、この構成によって下記の効果を奏するものである。
【００２９】
この発明のうち請求項１記載の発明は、引手は胴体連結体と多種多様な装飾体の１つとを連結部を介して一体に連結して芯材を形成し、連結部は一定の形状から形成し、連結部に一定内の大きさの装飾体を連結し、連結部の一部および装飾体の周囲に、該部分が透視可能な樹脂を被覆成形したことによって、連結部は一定の形状、装飾体は一定内の大きさであるから金型におけるキャビティの形状を何種類も刻設する必要はなく、１種類のキャビティで各種の芯材を収容し射出成形でき、金型のコストを低減することができる。また顧客の要望する多種多様な装飾引手を迅速に製造することができ、さらに成形された引手は装飾部が透視でき美しい引手に仕上げることができる効果がある。
【００３０】
請求項２記載の発明は、請求項１記載の発明の効果に加え、胴体連結体の連結部は断面形状を共通とし、装飾体は多種多様な形態とする芯材を金属のダイカスト成形によって形成したことによって、簡易に利用できる芯材を簡単にダイカスト成形でき、そのうえ芯材は多種多様な装飾体から形成されても連結部における断面形状が共通する１種類の形状であるため、金型のキャビティは数種類設置する必要はなく、１種類のキャビティで多種類の装飾部を備えた引手を迅速かつ効率よく簡単に生産でき、顧客の注文に即応できる効果がある。
【００３１】
請求項３および４記載の発明は、それぞれ請求項１記載の発明の効果に加え、胴体連結体は平板状の連結部からＵ字状のアームを突設し、あるいは連結部から左右一対のアームを突設し、アームの先端に軸部を架設したことによって、殆どの形態のスライダーたとえば自由スライダー、自動停止装置付スライダーであっても、それらのスライダーの引手取付部に簡単に適用できる引手に仕上げることができる効果がある。
【００３２】
請求項５記載の発明は、胴体連結体に対して一定内の大きさの多種多様な装飾体を一定形状の連結部を介して連結した芯材を形成し、多種多様な芯材を受注により選択し、芯材を金型に設けた一定形状のキャビティに収容した後、芯材の連結部の一部および装飾体の周囲を被覆する形で、該部分が透視可能な樹脂を射出成形したことによって、多種多様な芯材を事前に簡易に製造し保管することができ、したがって顧客からの注文に応じて簡単に芯材を金型に配置し、迅速に樹脂製の引手を製造することができる。しかも引手は内部に芯材を簡単に配して美しく装飾部が透視できる引手を製造できる効果がある。
【００３３】
請求項６および７記載の発明は、それぞれ請求項５記載の発明の効果に加え、金型に数個のキャビティを備え、該キャビティに同種の模様を有する装飾体からなる芯材を配置した後、樹脂を射出成形するか、または数個のキャビティに異種の模様を有する装飾体からなる芯材を配置した後、樹脂を射出成形することによって、同種の模様の引手、また異種の模様の引手を多量または少量にかかわらず的確かつ迅速に作製できる効果があるなど、この発明が奏する効果はきわめて顕著である。
【図面の簡単な説明】
【図１】一対のアームを備えた引手を装着したスライダーの分解斜視図である。
【図２】同上スライダーの側面図である。
【図３】同上スライダーの引手の正面図である。
【図４】同上スライダーの引手のＡ−Ａ線断面図である。
【図５】Ｕ字状のアームを備えた引手を装着したスライダーの分解斜視図である。
【図６】引手の変形例を示す正面図である。
【図７】引手の他の変形例を示す正面図である。
【図８】引手のさらに他の変形例を示す正面図である。
【図９】金型における上型の正面図である。
【図１０】同上上型の側面図である。
【図１１】金型における下型の正面図である。
【図１２】同上下型の側面図である。
【図１３】公知の引手の分解斜視図である。
【図１４】他の公知の引手の正面図である。
【符号の説明】
２　　　　　　引手
７　　　　　　胴体連結体
８　　　　　　装飾体
９　　　　　　芯材
１０　　　　　　連結部
１１　　　　　　アーム
１２　　　　　　軸部
２０　　　　　　金型
２６　　　　　　キャビティ
【図１】
2004073553.tif 000003
【図２】
2004073553.tif 000004
【図３】
2004073553.tif 000005
【図４】
2004073553.tif 000006
【図５】
2004073553.tif 000007
【図６】
2004073553.tif 000008
【図７】
2004073553.tif 000009
【図８】
2004073553.tif 000010
【図９】
2004073553.tif 000011
【図１０】
2004073553.tif 000012
【図１１】
2004073553.tif 000013
【図１２】
2004073553.tif 000014
【図１３】
2004073553.tif 000015
【図１４】
2004073553.tif 000016